(57)【要約】【課題】建物の外部から装置を持ち込まなくても、空気質の測定を可能にする。【解決手段】建物内の天井に設置される空気調和ユニット１００は、本体部１０と、空気質測定部３０と、昇降部２１とを備える。本体部１０は、空調対象空間Ｓ１の空気を吸い込んで空気調和を行う。空気質測定部３０は、本体部１０から電気の供給を受けて空調対象空間Ｓ１の空気質を測定する。昇降部２１は、空気質測定部３０を昇降させる。【選択図】図３
2019174045.tif 000002
【特許請求の範囲】
【請求項１】
建物内の天井（９０）に設置される空気調和ユニット（１００）であって、
空調対象空間（Ｓ１）の空気を吸い込んで空気調和を行う本体部（１０）と、
前記本体部（１０）から電気の供給を受けて前記空調対象空間（Ｓ１）の空気質を測定する空気質測定部（３０，１３０）と、
前記空気質測定部（３０，１３０）を昇降させる昇降部（２１）と、
を備える空気調和ユニット。
【請求項２】
前記昇降部（２１）は、前記本体部（１０）から電気の供給を受けて前記空気質測定部（３０，１３０）を昇降させる、
請求項１に記載の空気調和ユニット。
【請求項３】
前記空気質測定部（３０，１３０）は、少なくとも、二酸化炭素濃度および浮遊塵埃量、のいずれかを、前記空気質として測定する、
請求項１および２のいずれかに記載の空気調和ユニット。
【請求項４】
前記空気質測定部（３０，１３０）は、さらに、温度、湿度、一酸化炭素濃度および気流の速さ、の少なくとも１つを、前記空気質として測定する、
請求項３に記載の空気調和ユニット。
【請求項５】
前記空気質測定部（３０，１３０）に、前記空気質を測定するように指示を送る、第１制御部（４０）、
をさらに備え、
前記第１制御部（４０）は、前記空気質測定部（３０，１３０）が所定の高さ位置に降りた状態において、前記指示を前記空気質測定部（３０，１３０）に送る、
請求項１から４のいずれかに記載の空気調和ユニット。
【請求項６】
前記空気質測定部（１３０）は、
前記本体部（１０）に近い第１高さ位置（ｈ１）にあるときに充電され、前記第１高さ位置（ｈ１）よりも低い第２高さ位置（ｈ２）にあるときに電源となる、バッテリー（１３６）、
を有している、
請求項１から５のいずれかに記載の空気調和ユニット。
【請求項７】
前記空気質測定部（３０，１３０）に前記空気質の測定を行わせる時間を入力するための、測定スケジュール入力部（１８）、
をさらに備える、請求項１から６のいずれかに記載の空気調和ユニット。
【請求項８】
前記空気質測定部（３０，１３０）の測定結果を知らせる測定結果報知部（４２）、
をさらに備える、請求項１から７のいずれかに記載の空気調和ユニット。
【請求項９】
前記空気質測定部（３０，１３０）の高さ位置を判断する高さ判断部（４５）、
をさらに備える、請求項１から８のいずれかに記載の空気調和ユニット。
【請求項１０】
音および光の少なくとも一方を用いて、前記空気質測定部（３０，１３０）の昇降動作に関する報知を行う、昇降動作報知部（４３）、
をさらに備える、請求項１から９のいずれかに記載の空気調和ユニット。
【請求項１１】
前記本体部（１０）は、前記空気調和の制御を行う第２制御部（１１）を有し、
前記第２制御部（１１）は、前記空気質測定部（３０）が前記空気質の測定を行っている時に、通常の前記空気調和の制御と異なる別の制御を行う、
請求項１から１０のいずれかに記載の空気調和ユニット。
【請求項１２】
前記空気質の測定に関する音声出力を行う音声出力部（４４）、
をさらに備える、請求項１から１１のいずれかに記載の空気調和ユニット。
【請求項１３】
前記天井（９０）に開けられる開口（９１）と、前記本体部（１０）との間の隙間（Ｇ）を塞ぐ、化粧パネル（１２）、
をさらに備え、
前記空気質測定部（３０）は、下面視において前記化粧パネル（１２）の角部（１２ｃ）の近傍に位置する、
請求項１から１２のいずれかに記載の空気調和ユニット。
【請求項１４】
前記化粧パネル（１２）は、前記天井に固定される固定部（１２ａ）と、前記固定部に対して移動する移動部（１２ｂ）と、を有し、
前記移動部（１２ｂ）が、前記空気質測定部（３０，１３０）の底面である、
請求項１３に記載の空気調和ユニット。
【請求項１５】
前記空気質測定部（１３０）は、
前記昇降部（２１）に対して着脱自在であり、
無線によって前記空気質の測定結果を送信する無線通信部（１３８）を有している、
請求項６に記載の空気調和ユニット。
【請求項１６】
前記空気質測定部（３０）は、その高さ位置を変えて、前記空気質の測定を複数回行い、
前記本体部（１０）は、複数回の前記空気質の測定結果を用いて、前記空気調和を行う、
請求項１から１５のいずれかに記載の空気調和ユニット。
【請求項１７】
建物内の天井（９０）に設置される空気質測定装置（２０，１２０，２２０）であって、
空気調和機（１０，１１０）から電気の供給を受けて、前記空気調和機（１０，１１０）の空調対象空間（Ｓ１）の空気質を測定する、空気質測定部（３０，１３０）と、
前記空気質測定部を昇降させる昇降部（２１）と、
を備える空気質測定装置。
【発明の詳細な説明】
【技術分野】
【０００１】
天井に設置される空気調和ユニットおよび空気質測定装置に関する。
【背景技術】
【０００２】
従来から、空気質を測定する空気質測定装置が存在する。
【０００３】
例えば、特許文献１（国際公開第２０１５／１５１４１４号公報）に開示されている空気質測定装置は、各部屋に設置された空気質を測定する子機と、測定結果を集積する親機とを備える。
【発明の概要】
【発明が解決しようとする課題】
【０００４】
近年、オフィス、学校、商業施設などで空気質に対する関心が高まっている。本開示の目的は、建物の外部から装置を持ち込まなくても、空気質の測定を可能にすることである。
【課題を解決するための手段】
【０００５】
第１観点の空気調和ユニットは、建物内の天井に設置される空気調和ユニットである。この空気調和ユニットは、本体部と、空気質測定部と、昇降部とを備える。本体部は、空調対象空間の空気を吸い込んで空気調和を行う。空気質測定部は、本体部から電気の供給を受けて空調対象空間の空気質を測定する。昇降部は、空気質測定部を昇降させる。
【０００６】
この空気調和ユニットは、上記のように、本体部から電気の供給を受けて、空気質の測定を行う。さらに、空気質測定部は、昇降部によって、電動もしくは手動で降下され、空気質の測定を行う。これにより、建物の外部から装置を持ち込まなくても、空気質の測定を行うことができる。
【０００７】
第２観点の空気調和ユニットは、第１観点の空気調和ユニットであって、昇降部は、本体部から電気の供給を受けて空気質測定部を昇降させる。これにより、人の力を使わずに空気質の測定が可能になる。
【０００８】
第３観点の空気調和ユニットは、第１観点又は第２観点のいずれかの空気調和ユニットであって、空気質測定部は、少なくとも、二酸化炭素濃度および浮遊塵埃量、のいずれかを、空気質として測定する。
【０００９】
第４観点の空気調和ユニットは、第３観点の空気調和ユニットであって、空気質測定部は、さらに、温度、湿度、一酸化炭素濃度および気流の速さ、の少なくとも１つを、空気質として測定する。
【００１０】
第５観点の空気調和ユニットは、第１観点から第４観点のいずれかの空気調和ユニットであって、空気質を測定するように指示を送る第１制御部、をさらに備える。第１制御部は、空気質測定部が所定の高さ位置に降りた状態において、空気質測定部に指示を送る。これによって、例えば、部屋の、床から天井までの高さのうち所定高さ位置において、空気質の測定を行うことができる。
【００１１】
第６観点の空気調和ユニットは、第１観点から第５観点のいずれかの空気調和ユニットであって、空気質測定部は、バッテリーを有する。バッテリーは、本体部に近い第１高さ位置にあるときに充電される。さらに、第１高さ位置よりも低い第２高さ位置にあるときには、電源となり空気質測定部に電気を供給する。
【００１２】
第７観点の空気調和ユニットは、第１観点から第６観点のいずれかの空気調和ユニットであって、測定スケジュール入力部をさらに備える。測定スケジュール入力部は、空気質測定部に空気質の測定を行わせる時間を入力する。
【００１３】
時間を入力することで、空気質測定部が、設定された時間に自動的に空気質の測定を開始するようになる。
【００１４】
第８観点の空気調和ユニットは、第１観点から第７観点のいずれかの空気調和ユニットであって、測定結果報知部をさらに備える。測定結果報知部は、空気質測定部の測定結果を、例えば、視覚的に、あるいは聴覚的に、空調対象空間に居る人に知らせる。
【００１５】
第９観点の空気調和ユニットは、第１観点から第８観点のいずれかの空気調和ユニットであって、高さ判断部をさらに備える。高さ判断部は、空気質測定部の高さ位置を判断する。
【００１６】
これによって、より確実に、設定された第２高さ位置において空気質の測定を行うことができる。
【００１７】
第１０観点の空気調和ユニットは、第１観点から第９観点のいずれかの空気調和ユニットであって、昇降動作報知部をさらに備える。昇降動作報知部は、音および光の少なくとも一方を用いて、空調対象空間に居る人に空気質測定部の昇降動作に関する報知を行う。
【００１８】
これにより、空調対象空間に居る人は、空気質測定部の昇降動作を認識することができる。
【００１９】
第１１観点の空気調和ユニットは、第１観点から第１０観点のいずれかの空気調和ユニットであって、空気調和の制御を行う第２制御部を有す。第２制御部は、空気質測定部が空気質測定を行っている時に、通常の空気調和の制御と異なる別の制御を行う。
【００２０】
例えば、空気質測定時に通常の空調運転を行った場合に空気質測定に悪影響が出る場合、風量を弱める、空気質測定部に直接風を当てない、などの別の制御を行う。これにより、空気質の測定に及ぼす悪影響を少なくすることができる。
【００２１】
第１２観点の空気調和ユニットは、第１観点から第１１観点のいずれかの空気調和ユニットであって、音声出力部をさらに備える。音声出力部は、空気質の測定に関する音声出力を行う。この音声出力部は、測定状況などを空調対象空間に居る人に知らせる。
【００２２】
第１３観点の空気調和ユニットは、第１観点から第１２観点のいずれかの空気調和ユニットであって、天井に開けられる開口と、本体部との間の隙間を塞ぐ、化粧パネルをさらに備える。空気質測定部は、上面視において化粧パネルの角部の近傍に位置する。
【００２３】
第１４観点の空気調和ユニットは、第１３観点の空気調和ユニットであって、化粧パネルは、天井に固定される固定部と、固定部に対して移動する移動部と、を有す。移動部は、空気質測定装置の底面である。
【００２４】
第１５観点の空気調和ユニットは、第６観点の空気調和ユニットであって、空気質測定部は昇降部に対して着脱自在である。さらに、空気質測定部は、無線通信部を有している。無線通信部は、無線によって空気質の測定結果を送信する。
【００２５】
第１６観点の空気調和ユニットは、第１観点から第１５観点のいずれかの空気調和ユニットであって、空気質測定部は、その高さ位置を変えて、空気質の測定を複数回行う。それによって本体部は、複数回の空気質の測定結果を用いて、空気調和を行うことができる。
【００２６】
第１７観点の空気質測定装置は、建物内の天井に設置される空気質測定装置である。この空気質測定装置は、空気質測定部と、昇降部と、を備える。空気質測定部は、空気調和ユニットから電気の供給を受けて空調対象空間の空気質を測定する。昇降部は、空気質測定部を昇降させる。
【図面の簡単な説明】
【００２７】
【図１】空気調和ユニットの概略を示す斜視図。
【図２】空気調和ユニットおよび上位ネットワークの構成を示すブロック図。
【図３】空気調和ユニットの構成を示すブロック図。
【図４】空気調和ユニットを下から見た下面図。
【図５】空気調和ユニット各部の配置を示す概念図。
【図６】変形例Ａに係る空気調和ユニットの構成を示すブロック図。
【図７】変形例Ｂに係る空気質測定装置の概略を示す図。
【発明を実施するための形態】
【００２８】
以下に、空気質測定装置２０を備える空気調和ユニット１００について、図面を参照しながら説明する。
【００２９】
（１）空気調和ユニットの全体構成
空気調和ユニット１００は、天井９０（図５参照）に設置される。具体的には、天井９０の上の空間Ｓ２に存在する梁から、図５に示すように、吊りボルト８１によって吊るされる。空気調和ユニット１００は、図５に示すように天井９０に埋め込まれるように配置してもよいし、天井９０の下面よりも下に位置するように吊り下げられていてもよい。ここでは、図５に示すように空気調和ユニット１００が設置された場合を例にとって説明する。
【００３０】
空気調和ユニット１００は、建物の外に設置される室外側ユニット（図示せず）とともに冷媒回路を有する冷凍装置（冷媒サイクル装置）を構成する。冷媒回路内には冷媒が封入されており、冷媒が圧縮され、冷却・凝縮され、減圧され、加熱・蒸発された後に、再び冷媒が圧縮されるという冷凍サイクル運転が、冷凍装置において行われる。
【００３１】
空気調和ユニット１００は、主として、本体部１０と、空気質測定装置２０とを備えている（図１参照）。また、空気調和ユニット１００は、化粧パネル１２と、リモコン８０と、通信部６０とを、さらに備えている(図１〜図３参照)。本体部１０と、空気質測定装置２０とは、電源線５１や信号線５２を介して接続されており、空気質測定装置２０は本体部１０から電気の供給を受ける。
【００３２】
（２）空気調和ユニットの詳細構成
（２−１）本体部
空気調和ユニット１００の本体部１０は、空調対象空間Ｓ１の空気を吸い込み、冷凍サイクル運転によって、空気調和を行う。本体部１０は、天井９０に設置された状態において、底面に吸込みグリル１３と、吹出口１４とが露出する。空調対象空間Ｓ１の空気は、吸込みグリル１３から吸い込まれ、本体部１０の内部の熱交換器（図示せず）において冷媒と熱交換されたあと、吹出口１４から空調対象空間Ｓ１へと吹き出される。
【００３３】
また、本体部１０は、第２制御部１１と、ＬＥＤランプ１５と、スピーカー１６とを有している。
【００３４】
第２制御部１１は、ＣＰＵ、ＲＡＭ等のメモリなどから成り、空気質測定装置２０の第１制御部４０と、電源線５１および信号線５２で接続されている。
【００３５】
ＬＥＤランプ１５は、空調対象空間Ｓ１に居る人に光によって情報を知覚させるものであり、スピーカー１６は、空調対象空間Ｓ１に居る人に音によって情報を知覚させるものである。
【００３６】
（２−２）空気質測定装置
空気質測定装置２０は、主に、空気質測定部３０と、昇降部２１と、第１制御部４０とを備える。
【００３７】
空気質測定装置２０は、図５に示すように、本体部１０の側面に装着される。すなわち、空気質測定装置２０は、本体部１０を天井９０に設置するための作業空間に配置される。本体部１０の側面には、分岐ダクトを取り付けるための取り付け穴７３が開いており、ここでは、この取り付け穴７３を利用して空気質測定装置２０が本体部１０に固定される。具体的には、断面がＬ字である取り付け部材７４が、取り付けビス７５によって本体部１０の側面に固定され、その取り付け部材７４に空気質測定装置２０が固定される。
【００３８】
（２−２−１）空気質測定部
空気質測定部３０は、空調対象空間Ｓ１の空気質を測定するためのセンサ部３１を有している。空気質測定部３０は、測定動作を行うため、本体部１０から電源線５１および５６を介して電気の供給を受ける。
【００３９】
また、空気質測定部３０は、昇降部２１によって昇降し、本体部１０と同じ高さ位置にある状態と、空調対象空間Ｓ１の中央付近の高さ位置にある状態とが切り替わる。図１に示すように、空気質測定部３０は、昇降部２１のワイヤー５５の先端に固定されており、昇降部２１によるワイヤー５５の繰り出し／巻き取りの動作に応じて、昇ったり降りたりする。
【００４０】
空気質測定部３０のセンサ部３１は、二酸化炭素濃度を測定する第１センサ、浮遊塵埃量を測定する第２センサを有している。また、空気質測定部３０のセンサ部３１は、さらに、温度、湿度、一酸化炭素濃度および気流の速さをそれぞれ測定する第３〜第６センサを有している。
【００４１】
（２−２−２）昇降部
昇降部２１は、上述のとおり、空気質測定部３０を昇降させるためのワイヤー５５や、そのワイヤー５５を繰り出したり巻き取ったりするためのローラ（図示せず）を有している。昇降部２１は、ワイヤー５５を繰り出すことによって、図１の第１高さ位置ｈ１に収まっている空気質測定部３０を、第２高さ位置ｈ２まで降下させる。また、昇降部２１は、ワイヤー５５を巻き上げることによって、空調対象空間Ｓ１の中央付近の高さ位置である第２高さ位置ｈ２まで下がっていた空気質測定部３０を、再び第１高さ位置ｈ１まで上昇させる。
【００４２】
なお、第２高さ位置ｈ２は、床上７５ｃｍから１５０ｃｍの間の適当な値に設定されることが多い。第１高さ位置ｈ１は、例えば天井高が２５０ｃｍであれば、それに近い値である。
【００４３】
（２−２−３）第１制御部
第１制御部４０は、ＣＰＵ、ＲＡＭ等のメモリなどから成り、本体部１０の第２制御部１１と、電源線５１および信号線５２で接続されている。
【００４４】
第１制御部４０は、昇降部２１に指令を出し、空気質測定部３０の昇降動作をコントロールする。すなわち、第１制御部４０は、空気質測定部３０を上下に移動させる。
【００４５】
第１制御部４０は、空気質の測定に関する複数の機能を備えており、空気質測定指示部４１、測定結果報知部４２、昇降動作報知部４３、音声出力部４４および高さ判断部４５としての機能を果たす。すなわち、第１制御部４０は、空気質測定指示部４１、測定結果報知部４２、昇降動作報知部４３、音声出力部４４および高さ判断部４５を有している。
【００４６】
空気質測定指示部４１は、空気質測定部３０に空気質を測定するように指示を送る。具体的には、空気質の測定の要求があったときに、空気質測定指示部４１は、空気質測定部３０を第１高さ位置ｈ１から第２高さ位置ｈ２まで降下させる。第１高さ位置ｈ１は、空気質測定部３０の収納位置であり、本体部１０の高さ位置である。第２高さ位置ｈ２は、第１高さ位置ｈ１よりも低い位置である。第２高さ位置ｈ２は、初期設定によって予め決められた位置であってもよいし、空気調和ユニット１００の使用者が状況によって決めるものであってもよい。空気質測定部３０を第１高さ位置ｈ１から第２高さ位置ｈ２まで降下させた後、空気質測定指示部４１は、空気質測定部３０のセンサ部３１の各センサに、測定を開始するように指示を送る。その後、空気質の測定が終了したら、空気質測定指示部４１は、昇降部２１に指示を送り、空気質測定部３０を第２高さ位置ｈ２から第１高さ位置ｈ１まで持ち上げて収納位置に戻す。
【００４７】
測定結果報知部４２は、空気質の測定結果を、後述する通信部６０を介して遠隔管理サーバ６５に送る。また、測定結果報知部４２は、空気質測定部３０の測定結果を、上述の本体部１０のスピーカー１６を介して、聴覚的に空調対象空間Ｓ１に居る人に知らせる。例えば、空気質が正常範囲内にある、或いは、正常範囲内から外れているので換気が必要だといったことを、音声で空調対象空間Ｓ１に居る人に知らせる。測定結果報知部４２は、音声出力部４４を介して、本体部１０のスピーカー１６に音声データを送る。
【００４８】
昇降動作報知部４３は、音および光を用いて、空調対象空間Ｓ１に居る人に空気質測定部３０の昇降動作に関する報知を行う。空気質測定部３０の昇降動作が行われているときに、空気質測定部３０に人が近づくと、人と空気質測定部３０との衝突が起きる可能性があるため、これを回避すべく、上述の本体部１０のＬＥＤランプ１５およびスピーカー１６を利用して、昇降動作報知部４３が報知を行う。具体的には、昇降動作報知部４３は、空気質測定部３０の昇降動作が始まる少し前から、昇降動作が行われている間、ＬＥＤランプ１５を点滅させ、またスピーカー１６から警告音を鳴らす。これにより、空調対象空間Ｓ１に居る人は、空気質測定部３０の昇降動作を認識することができる。
【００４９】
高さ判断部４５は、昇降部２１のワイヤー５５の繰り出し量から、空気質測定部３０の高さ位置を判断する。これにより、より確実に、設定された第２高さ位置ｈ２において空気質の測定を行うことができるようになっている。また、ワイヤー５５を繰り出す量、すなわち、第２高さ位置ｈ２については、適宜設定可能である。これにより、床から天井９０までの高さが異なる別の空間に空気調和ユニット１００が設置された場合であっても、ワイヤー５５の繰り出し量を異ならせることができ、空気質測定装置２０を床面からの高さが同じぐらいの高さ位置まで降下させることができる。これにより、天井高が異なる空間でも、同じ床高さ付近の空気質を測定することができる。
【００５０】
（２−３）化粧パネル
化粧パネル１２は、本体部１０を天井９０に設置する際に、図５に示すように、天井９０に空けられる開口９１と、本体部１０の間の隙間Ｇを塞ぐように設置される。化粧パネル１２は、図４に示すように、天井９０に固定された固定部１２ａと、天井９０に固定されていない移動部１２ｂとを有している。移動部１２ｂは、角部１２ｃの近傍に位置している。角部１２ｃは、化粧パネル１２の四隅の頂点のうちの１つである。そして、ここでは、化粧パネル１２の移動部１２ｂは、空気質測定部３０の底面である。すなわち、空気質測定部３０の底面が、下面視において、化粧パネル１２の一部を構成している。
【００５１】
（２−４）リモコン
リモコン８０は、空調対象空間Ｓ１において使用者が空調温度設定や風量調整を行うための操作機器である。リモコン８０と本体部１０の受信部１７とは、無線を使った送受信が可能になっている。リモコン８０には、空調に関する操作ボタンのほか、空気質測定に関する操作ボタンも存在する。リモコン８０には、空気質の測定の開始を命じる操作ボタンの他に、空気質の測定のスケジュールを手入力するための測定スケジュール入力部１８も設けられている。測定スケジュール入力部１８を操作すると、空気質測定装置２０が空気質の測定を開始する時刻の入力が可能である。予め空気質の測定時刻を設定しておくことで、決まった時間に測定が行われることになり、空調対象空間Ｓ１の空気質の管理が容易になる。
【００５２】
なお、リモコン８０と本体部１０とを無線接続せず、有線（信号線）で本体部１０とリモコン８０とを接続してもよい。
【００５３】
（２−５）通信部
通信部６０は、空気質測定部３０が行った空気質の測定結果を、インターネットなどの公衆回線あるいはイントラネット（通信回線６９）を介して、遠隔管理サーバ６５に送信する。遠隔管理サーバ６５では、管理対象のビルや家の空気質のデータを一元管理し、利用者が通信回線６９を介してアクセスしてきたときに、利用者の端末６６に空気質の測定結果に関する情報を提示する。
【００５４】
また、遠隔管理サーバ６５は、空気質が許容範囲を超えた場合、建物の管理会社やメンテナンス会社に警報を送って是正を呼びかける。さらに、遠隔管理サーバ６５は、空気質の測定結果から空調制御の変更（風速の条件など）の連絡を、ユーザーに送ることも行っている。
【００５５】
（３）空気調和ユニットの動作
（３−１）空気質の測定
上述のとおり、リモコン８０からの指令やスケジュール設定に基づいて空気質の測定の要求があると、その要求を本体部１０の第２制御部１１が受信する。第２制御部１１は、信号線５２を介して当該要求を空気質測定装置２０の第１制御部４０に送信する。当該要求を受信した空気質測定装置２０の第１制御部４０は、空気質測定指示部４１を通じて空気質測定部３０に空気質の測定を行わせる。そして、空気質測定部３０の降下、空気質の測定、空気質測定部３０の上昇、といった一連の動作が行われる。その際には、上述のとおり、本体部１０のＬＥＤランプ１５およびスピーカー１６を利用した昇降動作の報知や、空気質の測定結果の報知も行われる。
【００５６】
なお、図１に示すように、空気質測定部３０が第２高さ位置ｈ２まで降下して空気質の測定を行っているときには、本体部１０に固定された昇降部２１や第１制御部４０から空気質測定部３０まで、ワイヤー５５および電線５６が長く延びた状態となる。
【００５７】
（３−２）空調制御
本体部１０において空調制御を司る第２制御部１１は、空気質測定装置２０による空気質の測定が行われていないときには、通常の空調制御を行う。通常空調制御では、リモコン８０等で設定された設定室温や風量になるように、ファンや膨張弁の制御が行われる。
【００５８】
一方、空気質測定装置２０による空気質の測定が行われるときには、第２制御部１１は、通常の空調運転から空気質測定用の運転に切り替える。すなわち、第２制御部は、空気質の測定の際には、通常空調制御から、空気質の測定に適した空気質測定優先空調制御に切り替える。空気質測定優先空調制御による空気質測定用運転は、本体部１０からの空気の吹き出しを一時中断するものであってもよいし、本体部１０から吹き出す風を弱めるものであってもよい。また、空気質測定用運転は、本体部１０から吹き出す空気の向きを変えるものであってもよい。空気質測定用運転は、空気質測定部３０による空気質の測定に与える悪影響を軽減するための運転である。
【００５９】
（４）特徴
（４−１）
近年、オフィス、学校、商業施設などの建物で空気質に対する関心が高まっている。そのため、空気質を重要視している建物（施設）では定期的に人の手を介して空気質の測定が行われているところもある。しかし、空気質の測定には、通常と同じく人が部屋に居る状態において、その部屋の中央部において測定を行うことが望ましい。よって、現状行われている空気質の測定では、測定業者が測定器を外部から持ち込み、通常の活動に影響が出ないように配慮して測定を行っている。
【００６０】
これに対し、上記の空気調和ユニット１００は、本体部１０から電気の供給を受けて、空気質測定装置２０が空気質の測定を行う。そして、空気質測定部３０は、昇降部２１によって降下し、空気質の測定を行う。これにより、空気調和ユニット１００が天井９０に設定された建物では、建物の外部から装置を持ち込まなくても、空気質の測定を行うことができるようになっている。また、空気質の測定に係る費用の削減や、建物内に外部の人間が入ることに起因した機密漏洩の恐れの軽減も期待できる。
【００６１】
（４−２）
空気調和ユニット１００では、昇降部２１が、本体部１０から電気の供給を受けて空気質測定部３０を昇降させている。このため、人の力を使わずに空気質測定部３０を天井付近から降下させて、空気質の測定を行わせることができている。
【００６２】
（４−３）
空気調和ユニット１００では、空気質測定装置２０の第１制御部４０が、空気質測定部３０が所定の高さ位置（第２高さ位置ｈ２）に降りた状態において、空気質測定部３０に空気質測定の指示を送っている。これによって、空調対象空間Ｓ１の床面から天井９０までの各高さ位置のうち所定の高さ位置（第２高さ位置ｈ２）において、空気質の測定を行うことができている。
【００６３】
（４−４）
空気調和ユニット１００では、通信部６０が、空気質の測定結果を、通信回線６９を介して遠隔管理サーバ６５に送信している。これにより、十分な記憶容量や集計能力を持った遠隔管理サーバ６５において空気質の測定結果を管理することができ、例えば、空気質が著しく悪化した場合などに関係者に是正を呼びかけることも可能になっている。
【００６４】
（４−５）
空気調和ユニット１００では、空気調和の制御を行う本体部１０の第２制御部１１が、空気質測定装置２０による空気質測定の間、通常の空気調和の制御（通常空調制御）と異なる別の制御（空気質測定優先空調制御）を行っている。具体的には、空気質測定時に、風量を弱める、空気質測定部３０に直接風を当てない、などの空気質測定を優先した制御を行っている。これにより、空気質の測定への悪影響を軽減することができている。
【００６５】
（４−６）
空気調和ユニット１００には、測定スケジュール入力部１８が備わっている。測定スケジュール入力部１８は、使用者に、空気質測定装置２０に空気質の測定を行わせる時間（時刻）を入力させる。これにより、設定された時間に自動的に空気質の測定を開始させることができるようになっている。
【００６６】
（５）変形例
（５−１）変形例Ａ
上記の形態では、空気質測定部３０は、ワイヤー５５を介して昇降部２１に接続されている。ワイヤー５５の先端と空気質測定部３０とは、固定されている。しかし、空気質測定部３０は、ワイヤー５５から取り外しが可能なものであってもよい。例えば、昇降部２１によって第２高さ位置ｈ２まで降下した空気質測定部を、空調対象空間Ｓ１に居る人がワイヤー５５から取り外し、部屋内の任意の位置に空気質測定部を置いて空気質の測定を行わせてもよい。
【００６７】
この場合、空気質測定部は、図６に示す空気質測定部１３０のように構成することが好ましい。空気質測定部１３０は、バッテリー１３６および無線通信部１３８を有している。バッテリー１３６は、空気質測定部１３０が第１高さ位置ｈ１に収納された状態のときに充電される。一方、ワイヤー５５の先端から取り外された空気質測定部１３０は、バッテリー１３６から電力を供給されて空気質の測定を行う。なお、上記の図２の空気質測定装置２０では存在した電線５６は、空気質測定部１３０を備える空気質測定装置１２０では存在しない。
【００６８】
図６に示す空気質測定装置１２０の無線通信部１３８は、空気質測定部１３０の測定結果を、第１制御部４０に無線によって送信する。無線通信部１３８によって送信された情報は、第１制御部４０において上記と同様の処理が為される。なお、無線通信部１３８を設けているため、空気質測定装置２０では存在した第１制御部４０と空気質測定部３０とを結ぶ信号線は、空気質測定装置１２０では存在しない。
【００６９】
以上のように、変形例Ａに係る空気調和ユニットでは、空気質測定部１３０が昇降部２１のワイヤー５５に対して着脱自在となっており、また無線通信部１３８によって空気質の測定結果の送信が可能になっている。これにより、空調対象空間Ｓ１において、昇降部２１の真下の位置ではなく、平面的に少し昇降部２１や本体部１０から離れた位置において空気質測定部１３０を用いて空気質を測定することが可能になっている。
【００７０】
（５−２）変形例Ｂ
上記の形態では、空気質測定装置２０を本体部１０の側面に取り付けているが、図７に示すように空気質測定装置２２０を配置することも可能である。
【００７１】
図７に示す空気質測定装置２２０は、構成要素は上記の空気質測定装置２０と同じく、空気質測定部３０、昇降部２１および第１制御部４０であるが、それらは空気調和機２１０（上記の図１等の本体部１０に相当）から離れた場所において、天井９０に設置される。このため、上記の空気調和ユニット１００に較べて電源線５１が長くなるが、空気質測定装置２２０の設置場所の自由度が上がる。例えば、部屋の天井９０の左右にそれぞれ空気調和機２１０を配置しつつ、部屋の天井９０の中央に空気質測定装置２２０を設置することが可能であり、より部屋の中央での空気質の測定ができるようになる。
【００７２】
（５−３）変形例Ｃ
上記の形態では、本体部１０のＬＥＤランプ１５及び、スピーカー１６を用いて空気質測定部３０の昇降動作の報知や空気質の測定結果の報知を行っているが、報知手段は別のものでも構わない。例えば、リモコン８０の表示画面や、別に部屋の側壁などに設置する液晶パネルなどを用いて報知してもよい。
【００７３】
（５−４）変形例Ｄ
上記の形態では、昇降部２１がワイヤー５５を使って空気質測定部３０を昇降させているが、他の手段を用いて昇降させてもいい。例えば、ロッドとギアを噛み合わせた機構や、ボールネジを使った電動シリンダ機構を用いてもよい。また、昇降部２１のワイヤー５５の繰り出しは、電動に限らず、例えば手動のハンドルを設けることも可能である。
【００７４】
（５−５）変形例Ｅ
上記の形態では、空気質測定部３０のセンサ部３１が、二酸化炭素濃度、浮遊塵埃量、温度、湿度、一酸化炭素濃度および気流の速さの測定する複数のセンサを有している。しかし、必ずしも測定項目はこれらに限られない。例えば、さらにホルムアルデヒドの量を測定するセンサを有していてもよい。
【００７５】
（５−６）変形例Ｆ
上記の形態では、通信部６０が遠隔管理サーバ６５に空気質の測定結果を送信しているが、送信先は、建物内の管理者のコンピュータであってもよい。また、空気質の測定結果を、空気質測定装置２０のメモリに保存し、そこから測定データを取り出すようにしてもよい。
【００７６】
（５−７）変形例Ｇ
上記の形態では、１つの第２高さ位置ｈ２が想定されているが、複数の第２高さ位置ｈ２を設定すれば、複数の高さ位置において空気質の測定を行うことが可能である。
【００７７】
この場合、空調対象空間Ｓ１の複数の高さ位置における温度のデータを得ることもでき、それらのデータを利用して空調制御を行うことも可能となる。
【００７８】
例えば、暖房シーズンにおいて、床面近傍の温度と床上７５ｃｍ〜１００ｃｍの温度との差を測定し、足元が冷えていないかの判断を行い、仮に足元が冷えていると判断された場合、本体部１０からの空調空気の吹き出し風速を上げて運転を行い、温度の解消に努めることができる。また、床面付近で粉塵の量の増加がある場合は、清掃頻度を上げるように報知することもできる。
【００７９】
（５−８）変形例Ｈ
上記の形態では、測定スケジュール入力部１８をリモコン８０に設けている。しかし、これに限らず、例えば遠隔管理サーバ６５が提示する端末６６上の画面において測定スケジュールを入力できるように構成してもよい。この場合には、測定スケジュール入力部１８が、遠隔管理サーバ６５に設けられていることになる。また、リモコン８０ではなく、利用者の携帯端末などに測定スケジュール入力部１８をダウンロードさせる構成を採ることも可能である。
【００８０】
（５−９）変形例Ｉ
上記の形態では、測定結果報知部４２は、空気質測定部３０の測定結果を空調対象空間の使用者に知らせるべく、スピーカー１６から音声を流している。しかし、別に表示器が設けられる場合には、その表示器に想定結果を表示させ、視覚的に報知を行うことも可能である。いずれの方法でも、空調対象空間Ｓ１に居る人は、測定結果を知覚することによって、空調対象空間Ｓ１の空気質の環境を改善することができる。
【００８１】
（５−１０）変形例Ｊ
上記の形態では、音声出力部４４から空気質測定部３０の測定情報がスピーカー１６に流れるが、それは測定結果だけに限られず、例えば、測定経過状況などを流すことも考えられる。これにより、空調対象空間Ｓ１に居る人は、測定の経過状況も知ることができる。
【００８２】
（５−１１）変形例Ｋ
上記の形態では、高さ判断部４５は、ワイヤー５５の繰り出し量をカウントし、それによって空気質測定部３０が第２高さ位置ｈ２に到着したか否かを判断している。この判断は、ワイヤー５５の繰り出し量に依らず、例えば、空気質測定部３０の高さ位置を測定する距離センサ（床面との距離を測定できる超音波センサ）などを用いて行うことも可能である。
【００８３】
以上、本開示の実施形態を説明したが、特許請求の範囲に記載された本開示の趣旨及び範囲から逸脱することなく、形態や詳細の多様な変更が可能なことが理解されるであろう。
【００８４】
（５−１２）変形例Ｌ
上記の形態では、本体部１０のＬＥＤランプ１５およびスピーカー１６を利用して、空気質測定部３０の昇降動作の報知や、空気質の測定結果の報知を行わせている。しかし、報知を行うスピーカーやランプは、本体部１０ではなく、空気質測定装置２０に設けてもよい。例えば、昇降する空気質測定部３０にスピーカーを設けた場合には、空気質測定部３０が降りてくるに従って音の発信源も降りてくることになり、人が空気質測定部３０の降下に気づきやすくなる。
【符号の説明】
【００８５】
１０    本体部
１１    第２制御部
１２    化粧パネル
１２ａ  固定部
１２ｂ  移動部
１２ｃ  角部
１８    測定スケジュール入力部
２０    空気質測定装置
２１    昇降部
３０    空気質測定部
４０    第１制御部
４１    空気質測定指示部
４２    測定結果報知部
４３    昇降動作報知部
４４    音声出力部
４５    高さ判断部
９０    天井
９１    開口
１００  空気調和ユニット
１２０  空気質測定装置
１３０  空気質測定部
１３６  バッテリー
１３８  無線通信部
２２０  空気質測定装置
Ｇ      隙間
ｈ１    第１高さ位置
ｈ２    第２高さ位置
Ｓ１    空調対象空間
【先行技術文献】
【特許文献】
【００８６】
【特許文献１】国際公開第２０１５／１５１４１４号公報
【図１】
2019174045.tif 000003
【図２】
2019174045.tif 000004
【図３】
2019174045.tif 000005
【図４】
2019174045.tif 000006
【図５】
2019174045.tif 000007
【図６】
2019174045.tif 000008
【図７】
2019174045.tif 000009